(57)【要約】      （修正有）【課題】識別情報の入力を要求するサービスの数によらず、サービス利用者の生体情報を利用して各種サービス毎の識別情報を入力することが出来る。【解決手段】生体認証を行うための第１の生体情報を入力する生体情報入力部１０１と、生体情報入力部１０１により入力した第１の生体情報を照合するための第２の生体情報を記憶する登録生体情報データベース１０２と、第２の生体情報に対応した複数の識別情報を記憶する識別情報データベース１０６と、第１の生体情報と第２の生体情報とを照合する生体情報照合部１０３と、生体情報照合部１０３が第１の生体情報と第２の生体情報とを同一対象者の生体情報と判定した場合、識別情報データベース１０６に記憶した複数の識別情報を抽出する識別情報抽出部１０７と、抽出した複数の識別情報のうちの、１つの識別情報を選択する識別情報選択部１０８と、選択した識別情報を出力する識別情報出力部１０９と、を備える。【選択図】図１
2006163875.tif 000002
【特許請求の範囲】
【請求項１】
生体認証を行うための第１の生体情報を入力する第１の入力手段と、
前記第１の入力手段により入力した第１の生体情報を照合するための第２の生体情報を記憶する第１の記憶手段と、
前記第２の生体情報に対応した複数の識別情報を記憶する第２の記憶手段と、
前記第１の生体情報と前記第２の生体情報とを照合する照合手段と、
前記照合手段が前記第１の生体情報と前記第２の生体情報とを同一対象者の生体情報と判定した場合、前記第２の記憶手段に記憶した複数の識別情報を抽出する抽出手段と、
前記抽出した複数の識別情報のうちの、１つの識別情報を選択する選択手段と、
前記選択した識別情報を出力する出力手段と、
を備える生体情報認証装置。
【請求項２】
請求項１記載の生体情報認証装置であって、
前記照合手段が前記第１の生体情報と前記第２の生体情報とを同一対象者の生体情報と判定した場合、前記第２の記憶手段に記憶するための識別情報を入力する第２の入力手段と、
前記第２の入力手段により入力した識別情報を、前記第２の生体情報に対応させて前記第２の記憶手段に記憶させる第１の登録手段と、
を備える生体情報認証装置。
【請求項３】
請求項１または２記載の生体情報認証装置であって、
前記第２の記憶手段は、前記複数の識別情報毎に、当該識別情報を割り当てたサービスの情報を記憶し、
前記抽出手段は、前記第２の記憶手段に記憶したサービスの情報を抽出し、
前記選択手段は、前記抽出したサービスの情報のうち、１つのサービスの情報を選択し、
前記出力手段は、前記選択した１つのサービスの情報に対応する識別情報を出力する生体情報認証装置。
【請求項４】
請求項３記載の生体情報認証装置であって、
前記照合手段が前記第１の生体情報と前記第２の生体情報とを同一対象者の生体情報と判定した場合、前記第２の記憶手段に記憶するための、前記第２の入力手段により入力した識別情報を割り当てたサービスの情報を入力する第３の入力手段と、
前記第３の入力手段により入力したサービスの情報を、前記第２の入力手段により入力した識別情報に対応させて前記第２の記憶手段に記憶させる第２の登録手段と、を備える生体情報認証装置。
【請求項５】
請求項１から４いずれかに記載の生体情報認証装置を備える情報処理端末であって、
当該情報処理端末により利用可能なサービスを利用するために、前記サービスにより割り当てられた識別情報を入力する入力手段を備え、
前記入力手段は、前記生体情報認証装置の出力手段が出力した識別情報を、サービスの識別情報として入力する情報処理端末。
【発明の詳細な説明】
【技術分野】
【０００１】
本発明は、生体情報認証を利用して、同一の認証対象者と判定された該当認証対象者の、各種サービス固有に割り振られる識別情報を出力する生体情報認証装置およびその生体情報認証装置を用いた情報処理端末に関する。
【背景技術】
【０００２】
近年、携帯端末を利用した、電子決済サービスやインターネット上でのモバイルバンキングなどの様々な電子サービスが提供されている。これらのサービスは、各種サービス利用者毎に割り振った各種サービス固有の識別情報および各種サービス利用者毎に設定させた任意のパスワードによりサービス利用者を識別して、その識別したサービス利用者に合わせたサービスを提供している。
【０００３】
しかし、サービス利用者は、利用する電子サービスの数が増加すると、各種サービス毎に割り振られた識別情報全てを暗記することが困難になる。その結果、サービス利用者は、身の回りのもの、例えば財布、メモ帳または携帯端末など、に書き留めた各種サービスに対応する識別情報の情報を保管する必要が出てくる。このような場合、上記の電子サービスは、身の回りのものに保管した識別情報の情報が第３者へ流出する恐れがあり、また、識別情報の情報を保管するためにサービス利用者に気を使わせてしまう。
【０００４】
近年、各種サービス利用者毎に割り振った各種サービス固有の識別情報および各種サービス利用者毎に設定させた任意のパスワードを、サービス利用者の指紋、声紋、顔または虹彩などの人間の生体情報に対応させて予め登録しておき、登録した生体情報とサービス利用者の生体情報との生体情報認証を行った結果、同一の生体情報と判定されたサービス利用者の識別情報およびパスワードを入力する自動入力装置が考案されている（特許文献１参照）。
【０００５】
特許文献１記載の従来の自動入力装置によれば、サービス利用者の生体情報を利用して各種サービス毎の識別情報および任意のパスワードを読み出すことができるため、識別情報の情報が第３者へ流出することを防ぐことができ、また、識別情報の情報を保管するためにサービス利用者に気を使わせることがなくなる。
【０００６】
【特許文献１】特開２００３−１５０５５７号公報
【発明の開示】
【発明が解決しようとする課題】
【０００７】
しかしながら、従来の自動入力装置は、各種サービス毎の識別情報および任意のパスワード毎にサービス利用者の異なる生体情報を登録する必要があり、サービス利用者の生体情報の個数分しか識別情報およびパスワードを設定することができず、サービス利用者が利用するサービスの数が増えると、対応できなくなるという課題がある。
【０００８】
本発明は、上記事情に鑑みてなされたもので、識別情報の入力を要求するサービスの数によらず、サービス利用者の生体情報を利用して各種サービス毎の識別情報を入力することができる生体情報認証装置およびその生体情報認証装置を利用した情報処理端末を提供することを目的とする。
【課題を解決するための手段】
【０００９】
本発明の生体情報認証装置は、生体認証を行うための第１の生体情報を入力する第１の入力手段と、前記第１の入力手段により入力した第１の生体情報を照合するための第２の生体情報を記憶する第１の記憶手段と、前記第２の生体情報に対応した複数の識別情報を記憶する第２の記憶手段と、前記第１の生体情報と前記第２の生体情報とを照合する照合手段と、前記照合手段が前記第１の生体情報と前記第２の生体情報とを同一対象者の生体情報と判定した場合、前記第２の記憶手段に記憶した複数の識別情報を抽出する抽出手段と、前記抽出した複数の識別情報のうちの、１つの識別情報を選択する選択手段と、前記選択した識別情報を出力する出力手段と、を備えるものである。
【００１０】
また、本発明の生体情報認証装置は、前記照合手段が前記第１の生体情報と前記第２の生体情報とを同一対象者の生体情報と判定した場合、前記第２の記憶手段に記憶するための識別情報を入力する第２の入力手段と、前記第２の入力手段により入力した識別情報を、前記第２の生体情報に対応させて前記第２の記憶手段に記憶させる第１の登録手段と、を備えるものを含む。
【００１１】
この構成によれば、識別情報の入力を要求するサービスの数によらず、サービス利用者の生体情報を利用して、各種サービス毎の識別情報を出力することができる
【００１２】
また、本発明の生体情報認証装置は、前記第２の記憶手段は、前記複数の識別情報毎に、当該識別情報を割り当てたサービスの情報を記憶し、前記抽出手段は、前記第２の記憶手段に記憶したサービスの情報を抽出し、前記選択手段は、前記抽出したサービスの情報のうち、１つのサービスの情報を選択し、前記出力手段は、前記選択した１つのサービスの情報に対応する識別情報を出力するものを含む。
【００１３】
また、本発明の生体情報認証装置は、前記照合手段が前記第１の生体情報と前記第２の生体情報とを同一対象者の生体情報と判定した場合、前記第２の記憶手段に記憶するための、前記第２の入力手段により入力した識別情報を割り当てたサービスの情報を入力する第３の入力手段と、前記第３の入力手段により入力したサービスの情報を、前記第２の入力手段により入力した識別情報に対応させて前記第２の記憶手段に記憶させる第２の登録手段と、を備えるものを含む。
【００１４】
この構成によれば、識別情報に対応したサービスに関する情報を選択することにより、当該装置利用者は、覚え難い識別情報を直接的に選択するよりも、覚え易いサービスの名称から識別情報を間接的に選択する方が簡単に識別情報を選択することができるため、識別情報を選択する際の利便性が向上する。
【００１５】
本発明の情報処理端末は、本発明の生体情報認証装置を備える情報処理端末であって、当該情報処理端末により利用可能なサービスを利用するために、前記サービスにより割り当てられた識別情報を入力する入力手段を備え、前記入力手段は、前記出力手段が出力した識別情報を、サービスの識別情報として入力するものである。
【００１６】
この構成によれば、情報処理端末利用者は、情報処理端末ににより利用可能なサービスを利用する際に、そのサービスに割り当てられた識別情報の入力を要求されても、簡単にその識別情報を入力することができる。
【発明の効果】
【００１７】
本発明の生体情報認証装置およびその生体情報認証装置を利用した情報処理端末によれば、識別情報の入力を要求するサービスの数によらず、サービス利用者の生体情報を利用して各種サービス毎の識別情報を簡単に入力することができる。
【発明を実施するための最良の形態】
【００１８】
本発明の実施の形態の生体情報認証装置について、図面を参照して詳細に説明する。図１に、本発明の実施の形態の生体情報認証装置の構成図を示す。
【００１９】
本発明の実施の形態の生体情報認証装置は、認証対象者の生体情報を入力する生体情報入力部１０１と、認証対象者の生体情報を記憶する登録生体情報データベース１０２と、生体情報入力部１０１に入力した生体情報と登録生体情報データベースに登録した生体情報とを照合する生体情報照合部１０３と、により、生体情報認証を行う。
【００２０】
また、本発明の実施の形態の生体情報認証装置は、生体情報照合部１０３により照合した結果、生体情報入力部１０１により入力した生体情報と登録生体情報データベースに記憶した生体情報とが同一の認証対象者のものと判定された場合に、その認証対象者の新たな識別情報およびその識別情報を認証対象者に割り当てたサービスの名称の入力操作を受け付ける識別情報入力部１０４およびサービス名入力部１０５と、識別情報入力部１０４およびサービス名入力部１０５により入力した識別情報とサービスの名称とを対応付けて認証対象者毎に記憶する識別情報情報データベース１０６と、により、認証対象者に割り当てられた識別情報を予め登録する。
【００２１】
また、本発明の実施の形態の生体情報認証装置は、生体情報照合部１０３により照合した結果、生体情報入力部１０１により入力した生体情報と登録生体情報データベースに記憶した生体情報とが同一の認証対象者のものであった場合に、その認証対象者に割り当てられた識別情報とその識別情報に対応するサービスの名称を識別情報情報データベース１０６から読み取る識別情報抽出部１０７と、識別情報抽出部１０７により抽出された識別情報のうち、１つの識別情報を選択するための選択操作を受け付ける識別情報選択部１０８と、識別情報選択部１０８により選択した識別情報を出力する識別情報出力部１０９と、により、識別情報情報データベース１０６に予め登録された認証対象者の識別情報のうち、特定の識別情報を出力する。
【００２２】
なお、生体情報照合部１０３、識別情報抽出部１０７および識別情報出力部１０９をＣＰＵ１０の１機能として、登録生体情報データベース１０２および識別情報データベース１０６をメモリ１１の１機能として、識別情報入力部１０４、サービス名入力部１０５および識別情報選択部１０８を操作キー１２の１機能として、まとめても良い。
【００２３】
なお、生体情報入力部１０１は、特許請求の範囲記載の第１の入力手段の機能を備える。登録生体情報データベース１０２は、特許請求の範囲記載の第１の記憶手段の機能を備える。生体情報照合部１０３は、特許請求の範囲記載の照合手段の機能を備える。識別子入力部１０４は、特許請求の範囲記載の第２の入力手段の機能を備える。識別情報情報データベース１０６は、特許請求の範囲記載の第２の記憶手段の機能を備える。識別情報抽出部１０７は、特許請求の範囲記載の抽出手段の機能を備える。識別情報選択部１０８は、特許請求の範囲記載の選択手段の機能を備える。識別情報出力部１０９は、特許請求の範囲記載の出力手段の機能を備える。
【００２４】
本発明の実施の形態の生体情報認証装置において、登録生体情報データベース１０２に当該装置利用者の生体情報が登録されていない場合の各部の機能を図面を参照して説明する。図２、３に、本発明の実施の形態の生体情報認証装置における、生体情報登録時に機能する各部の構成図、生体情報登録時のフローチャートを示す。登録生体情報データベース１０２に当該装置利用者の生体情報を登録する処理を実行する際、生体情報入力部１０１は、当該装置利用者の生体情報を入力し（Ｓ３１）、登録生体情報データベース１０２は、生体情報入力部１０１により入力した生体情報を当該装置利用者の生体情報として記憶する（Ｓ３２）。
【００２５】
また、本発明の実施の形態の生体情報認証装置において、識別情報データベース１０２に当該装置利用者の識別情報が登録されていない場合の各部の機能を図面を参照して説明する。図４、５に、本発明の実施の形態の生体情報認証装置における、識別情報登録時に機能する各部の構成図、識別情報登録時のフローチャートを示す。識別情報情報データベース１０６に当該装置利用者の識別情報を登録する処理を実行する際、生体情報入力部１０１は、当該装置利用者の生体情報を入力し（Ｓ５１）、生体情報照合部１０３は、生体情報入力部１０１により入力した生体情報と登録生体情報データベース１０２に記憶した生体情報とを照合する（Ｓ５２）。生体情報照合部１０３により照合した結果、同一の認証対象者と判定された場合（Ｓ５３、ＹＥＳ）に、識別情報入力部１０４およびサービス名入力部１０５は、識別情報およびその識別情報を認証対象者に割り当てたサービスの名称を入力する（Ｓ５４、Ｓ５５）。識別情報情報データベース１０６は、識別情報入力部１０４およびサービス名入力部１０５により入力した識別情報とサービスの名称とを対応付けて認証対象者毎に記憶する（Ｓ５６）。
【００２６】
次に、本発明の実施の形態の生体情報認証装置において、識別情報情報データベース１０６に当該装置利用者の識別情報が既に登録されている状態で、識別情報を読み出す場合の各部の機能を図面を参照して説明する。図６、７に、本発明の実施の形態の生体情報認証装置における、識別情報読出し時に機能する各部の構成図、識別情報読出し時のフローチャートを示す。
【００２７】
当該装置利用者の識別情報を読み出す処理を実行する際、生体情報入力部１０１は、当該装置利用者の生体情報を入力し（Ｓ７１）、生体情報照合部１０３は、生体情報入力部１０１により入力した生体情報と登録生体情報データベース１０２に記憶した生体情報とを照合する（Ｓ７２）。生体情報照合部１０３により照合した結果、同一の認証対象者と判定された場合（Ｓ７３、ＹＥＳ）に、識別情報抽出部１０７は、その認証対象者に割り当てられた識別情報とその識別情報に対応するサービスの名称を識別情報情報データベース１０６から読み取る（Ｓ７４、Ｓ７５）。識別情報選択部１０８は、識別情報抽出部１０７により抽出された識別情報のうち、１つの識別情報を選択するための選択操作を受け付け、識別情報出力部１０９は、識別情報選択部１０８により選択した識別情報を出力する（Ｓ７６）。
【００２８】
当該装置利用者の識別情報選択部１０８が識別情報を選択する処理を実行する際の具体例を、図８に示す、当該装置を備えた情報処理端末の表示部が表示する表示例を参照して詳細に説明する。
【００２９】
本発明の実施の形態の生体情報認証装置を備えた情報処理端末を利用して、電子決済サービスやインターネット上でのモバイルバンキングなどの電子サービスを利用する場合を考える。情報処理端末利用者が電子サービスを利用できるオンラインショップにて電子サービスの利用を開始すると、オンラインショップは、その情報処理端末利用者が当該ショップの電子サービスを利用できるか否か確認するために、当該ショップの電子サービス利用者に割り当てた識別情報とそのサービス利用者が設定したパスワードを入力するよう求める。表示部は、例えば、図８（ａ）の画面を表示して、ユーザに識別情報とパスワードの入力を促す。
【００３０】
情報処理端末利用者は、図８（ｂ）の機能メニューを表示部に表示させて、本発明の実施の形態の生体情報認証装置を利用して識別情報を入力する、項目「１．識別情報入力支援」を選択する。
【００３１】
情報処理端末利用者は、当該情報処理端末が有するカメラ機能を利用して、生体情報入力部１０１に自身の顔画像を入力し、生体情報照合部１０３は、予め登録生体情報データベースに登録した顔画像との照合を行う。ここでは、生体情報認証を顔認証により行うことを述べたが、これに限るものではなく、指紋認証、声紋認証または虹彩認証などにより生体情報認証を行うようにしても良い。
【００３２】
生体情報照合部１０３が照合した顔画像を同一の認証対象者のものと判定すると、表示部は、図８（ｄ）に示すように、識別情報抽出部１０７が識別情報情報データベース１０６から抽出した識別情報に対応したサービスの名称を表示し、情報処理端末利用者にサービスの名称のうちの１つを選択するよう促す。識別情報選択部１０８がサービスの名称の１つ、図８（ｄ）では項目「１．オンラインショップ」、を選択する選択操作を受け付けると、識別情報出力部１０９は、識別情報抽出部１０７が識別情報情報データベース１０６から抽出した識別情報のうち、識別情報選択部１０８が受け付けたサービスの名称に対応する識別情報を出力し、オンラインショップが電子サービス利用者に割り当てた識別情報を入力することができる。ここでは、図８（ｄ）に示すように、サービスの名称を表示するようにしたが、これに限るものではなく、識別情報に対応したサービスに関する情報であれば良く、例えば、サービスを提供している会社のロゴマークなどであっても構わない。
【００３３】
情報処理端末使用者は、識別情報を入力した後、入力した識別情報に対応するパスワードを入力すると、電子サービスを利用することができるようになる。情報処理端末装置は、上述のように識別情報を入力後に、入力した識別情報に対応するパスワードの入力を受け付けることにより、生体情報認証とパスワード認証とによる二重の認証を行うことができるため、認証対象者ではない情報処理端末利用者が誤って同一の認証対象者として判定された場合でも、パスワード認証により、認証対象者ではない情報処理端末利用者による電子サービスの利用を防ぐことができる。
【００３４】
表示部は、図８（ｄ）にサービスの名称を表示する変わりに、識別情報抽出部１０７が識別情報情報データベース１０６から抽出した識別情報を表示するようにしても良いが、上述のように識別情報に対応したサービスの名称を表示することにより、情報処理端末利用者は、覚え難い識別情報を直接的に選択するよりも、覚え易いサービスの名称から識別情報を間接的に選択する方が簡単に識別情報を選択することができるため、識別情報を選択する際の利便性が向上する。また、識別情報も個人情報の一つであり、表示部に識別情報を表示する機会を極力抑えることで、情報処理端末からの識別情報の漏洩を抑えることができる。
【産業上の利用可能性】
【００３５】
本発明の生体情報認証装置およびその生体情報認証装置を利用した情報処理端末は、識別情報の入力を要求するサービスの数によらず、サービス利用者の生体情報を利用して各種サービス毎の識別情報を簡単に入力することができるという効果を奏し、生体情報認証を利用して、同一の認証対象者と判定された該当認証対象者の、各種サービス固有に割り振られる識別情報を出力する分野に有用である。
【図面の簡単な説明】
【００３６】
【図１】本発明の実施の形態の生体情報認証装置の構成図
【図２】本発明の実施の形態の生体情報認証装置における、生体情報登録時に機能する各部の構成図
【図３】本発明の実施の形態の生体情報認証装置における、生体情報登録時のフローチャート
【図４】本発明の実施の形態の生体情報認証装置における、識別情報登録時に機能する各部の構成図
【図５】本発明の実施の形態の生体情報認証装置における、識別情報登録時のフローチャート
【図６】本発明の実施の形態の生体情報認証装置における、識別情報読出し時に機能する各部の構成図
【図７】本発明の実施の形態の生体情報認証装置における、識別情報読出し時のフローチャート
【図８】本発明の実施の形態の生体情報認証装置を備えた情報処理端末の表示部が表示する表示例
【符号の説明】
【００３７】
１０  ＣＰＵ
１１  メモリ
１２  操作キー
１０１  生体情報入力部
１０２  登録生体情報データベース
１０３  生体情報照合部
１０４  識別情報入力部
１０５  サービス名入力部
１０６  識別情報データベース
１０７  識別情報抽出部
１０８  識別情報選択部
１０９  識別情報出力部
【図１】
2006163875.tif 000003
【図２】
2006163875.tif 000004
【図３】
2006163875.tif 000005
【図４】
2006163875.tif 000006
【図５】
2006163875.tif 000007
【図６】
2006163875.tif 000008
【図７】
2006163875.tif 000009
【図８】
2006163875.tif 000010